(57)【要約】【課題】余分な材料を使用せず、部品点数を削減することにより、安価な密閉型圧縮機を提供する。【解決手段】電動要素１０４の下側面に支持金属板１２１、１２２を配設し、支持金属板１２１、１２２を固定子固定用ボルト１２３によってブロックに締結、固定した電動圧縮要素１０６を弾性支持するスプリング１０７を有する密閉型圧縮機であって、支持金属板１２１、１２２に設けた穴１２１ｃ、１２２ｃにスプリング１０７を挿入固定した。これにより、スプリング１０７を保持する部品が必要でなく、部品点数を削減することとなり、安価な密閉型圧縮機を提供することができる。【選択図】図３
2013024068.tif 000002
【特許請求の範囲】
【請求項１】
密閉容器内に収納されるブロックと、前記ブロックの上側に配設される圧縮要素と、前記ブロックの下側に配設され固定子及び前記固定子の内側に配設される回転子から構成される電動要素と、前記電動要素の下側面に支持金属板を配設し、前記支持金属板を固定子固定用ボルトによって前記ブロックに締結、固定した電動圧縮要素と、前記密閉容器内に配設し前記電動圧縮要素を弾性支持するスプリングと、を有する密閉型圧縮機であって、
前記支持金属板に設けた穴に前記スプリングを挿入固定した密閉型圧縮機。
【請求項２】
前記支持金属板に設けた穴は、前記スプリングが嵌合するねじ部を有する請求項１に記載の密閉型圧縮機。
【請求項３】
前記スプリングは、径大部と径小部と径中部とを備えた請求項１または請求項２に記載の密閉型圧縮機。
【発明の詳細な説明】
【技術分野】
【０００１】
本発明は密閉型圧縮機の支持構造に関するものである。
【背景技術】
【０００２】
従来、この種の密閉型圧縮機は、特許文献１に示すようなものがある。
【０００３】
以下、図面を参照しながら上記従来の密閉型圧縮機を説明する。
【０００４】
図４は、特許文献１に記載された従来の密閉型圧縮機の縦断面図、図５は、従来の密閉型圧縮機で、支持金属板と固定子を立体的に表した分解図である。
【０００５】
図４、図５おいて、上容器１と下容器２を嵌合させて全周溶接にて密封した密閉容器３内には、電動要素４とこの電動要素４により駆動される圧縮要素５とからなる電動圧縮要素６が複数のスプリング７によって弾性的に保持され、下容器２の底部には冷凍機油８を貯留している。
【０００６】
圧縮要素５は、シリンダ１０と軸受け部１１を形成するブロック１２と、シリンダ１０内に往復自在に嵌入されたピストン１３と軸受け部１１に軸支された主軸部１４及びその上方に形成された偏芯部１５からなるシャフト１６と、偏芯部１５とピストン１３をスコッチヨーク機構１７を介して連結している。
【０００７】
電動要素４は、巻線１８を施した固定子１９と回転子２０とから構成されており、固定子１９は、ブロック１２の下方に一対の支持金属板２１、２２を介してそれぞれ２個ずつの固定子固定用ボルト２３で固定され、回転子２０はシャフト１６の主軸部１４に焼嵌め等で固定されている。
【０００８】
支持金属板２１、２２は、腕部２１ａ、２２ａと腕部２１ａと２２ａの両端に端部２１ｂ、２２ｂとを配設し、端部２１ｂ、２２ｂにはボス２４が配設されており、ボス２４に対向する位置にボス２５を下容器２に配設し、スプリング７をボス２４とボス２５の間に装着している。
【先行技術文献】
【特許文献】
【０００９】
【特許文献１】特開平５−２４８３５５号公報
【発明の概要】
【発明が解決しようとする課題】
【００１０】
しかしながら、前記従来の構成では、支持金属板２１、２２にはボス２４をスポット溶接で固定したり、絞り加工で成型する必要があり、部品点数が増加し、コストがかかるという課題を有していた。
【００１１】
本発明は、前記従来の課題を解決するもので、部品点数を削減し、安価な密閉型圧縮機を提供することを目的とする。
【課題を解決するための手段】
【００１２】
前記従来の課題を解決するために、本発明の密閉型圧縮機は、支持金属板に設けた穴にスプリングを挿入固定したものである。
【００１３】
これによって、スプリング保持部材を必要としないという作用を有する。
【発明の効果】
【００１４】
本発明の密閉型圧縮機は、支持金属板に設けた穴にスプリングを挿入固定することにより、部品点数を削減でき、安価な密閉型圧縮機を提供することができる。
【図面の簡単な説明】
【００１５】
【図１】本発明の実施の形態１における密閉型圧縮機の縦断面図
【図２】同実施の形態における支持金属板と固定子を立体的に表した分解図
【図３】図２の部分詳細図
【図４】従来の密閉型圧縮機の縦断面図
【図５】従来の支持金属板と固定子を立体的に表した分解図
【発明を実施するための形態】
【００１６】
請求項１に記載の発明は、密閉容器内に収納されるブロックと、前記ブロックの上側に配設される圧縮要素と、前記ブロックの下側に配設され固定子及び前記固定子の内側に配設される回転子から構成される電動要素と、前記電動要素の下側面に支持金属板を配設し、前記支持金属板を固定子固定用ボルトによって前記ブロックに締結、固定した電動圧縮要素と、前記密閉容器内に配設し前記電動圧縮要素を弾性支持するスプリングと、を有する密閉型圧縮機であって、前記支持用金属板に設けた穴にスプリングを挿入固定したことにより、スプリングを保持する部品が不要であり部品点数が削減でき、安価な密閉型圧縮機を提供することができる。また、作業性が容易となる。
【００１７】
請求項２に記載の発明は、請求項１に記載の発明において、前記支持金属板に設けた穴は、前記スプリングが嵌合するねじ部を有することにより、スプリングの確実な固定ができ、さらに、圧縮動作による振動を低減させることとなり、信頼性の高い密閉型圧縮機を提供することができる。
【００１８】
請求項３に記載の発明は、請求項１または請求項２に記載の発明において、前記スプリングは、径大部と径小部と径中部とを備えたことにより、径中部が支持金属板の上面側に出ることで、スプリングの抜けを防止することとなり、より信頼性の高い密閉型圧縮機を提供することができる。
【００１９】
以下、本発明の実施の形態について、図面を参照しながら説明する。尚、この実施の形態によってこの発明が限定されるものではない。
【００２０】
（実施の形態１）
図１は、本発明の実施の形態１における密閉型圧縮機の縦断面図である。図２は、同実施形態における支持金属板と固定子を立体的に表した分解図である。図３は、図２の部分詳細図である。
【００２１】
図１から図３において、上容器１０１と下容器１０２を嵌合させて全周溶接にて密封した密閉容器１０３内には、電動要素１０４と、この電動要素１０４により駆動される圧縮要素１０５と、からなる電動圧縮要素１０６が、複数のスプリング１０７によって弾性的に保持され、下容器１０２の底部には冷凍機油１０８を貯留している。
【００２２】
圧縮要素１０５は、シリンダ１１０と軸受け部１１３を形成するブロック１１１と、シリンダ１１０内に往復自在に嵌入されたピストン１１２と軸受け部１１３に軸支された主軸部１１５及びその上方に形成された偏芯部１１６からなるシャフト１１７と、偏芯部１
１６とピストン１１２を連結するコンロッド１１８と、を備えている。
【００２３】
電動要素１０４は、巻線１３０を施した固定子１１９と回転子１２０とから構成されており、固定子１１９は、ブロック１１１の下方に支持金属板１２１、１２２を介してそれぞれ固定子固定用ボルト１２３で固定され、回転子１２０はシャフト１１７の主軸部１１５に焼嵌め等で固定されている。
【００２４】
また、図２に示すように、支持金属板１２１、１２２は、腕部１２１ａ、１２２ａと端部１２１ｂ、１２２ｂとからなり、端部１２１ｂ、１２２ｂには、穴１２１ｃ、１２２ｃが設けられている。
【００２５】
電動圧縮要素１０６を弾性支持するスプリング１０７は、径大部１０７ａと、径小部１０７ｂと、径中部１０７ｃと、を備えている。
【００２６】
具体的には、径小部１０７ｂの外径は、穴１２１ｃ、１２２ｃの径よりも小さいまたは同一の径で、径中部１０７ｃの外径は、穴１２１ｃ、１２２ｃの径よりも大きな径としており、径小部１０７ｂを支持金属板１２１、１２２の穴１２１ｃ、１２２ｃへ挿入固定している。
【００２７】
また、径大部１０７ａの外径は、径中部１０７ｃの外径より大きい。
【００２８】
より具体的には、上方から下方に向かって、径中部１０７ｃ、径小部１０７ｂ、径大部１０７ａの順に形成されている。
【００２９】
スプリング１０７に対向する位置には、ボス１２５を下容器１０２に配設している。
【００３０】
以上のように構成された密閉型圧縮機について、以下その動作、作用を説明する。
【００３１】
電動要素１０４に通電されると、回転子１２０は回転し、これに伴ってシャフト１１７が回転し、偏芯部１１６の運動がコンロッド１１８を介してピストン１１２に伝わることでピストン１１２はシリンダ１１０内で往復運動を行い、圧縮要素１０５が所定の圧縮動作を行う。
【００３２】
圧縮要素１０５と電動要素１０４とからなる電動圧縮要素１０６は、支持金属板１２１、１２２に挿入固定したスプリング１０７と下容器１０２に設けたボス１２５とで支持されており、圧縮動作による振動を軽減させている。
【００３３】
ここで、スプリング１０７の先端である径中部１０７ｃを支持金属板１２１、１２２の穴１２１ｃ、１２２ｃへ直接、挿入固定することで、スプリング１０７を保持する部品が不要であり部品点数が削減でき、また、支持金属板に設けた穴にスプリングを挿入固定することにより、作業性が容易となる。
【００３４】
この作用により、部品点数が削減でき、安価な密閉型圧縮機を提供することができる。
【００３５】
さらに、支持金属板１２１、１２２に設けた穴１２１ｃ、１２２ｃは、スプリング１０７が嵌合するねじ部を有している。より具体的には、穴１２１ｃ、１２２ｃの内面にねじを切ることで、スプリング１０７の固定が確実になり、さらに、圧縮動作による振動を低減させることとなり、信頼性の高い密閉型圧縮機を提供することができる。
【００３６】
さらに、図３に示すように、スプリング１０７を穴１２１ｃ、１２２ｃへ挿入したとき
に、径小部１０７ｂが穴１２１ｃ、１２２ｃの内面に固定されるとともに、径中部１０７ｃが、支持金属板１２１、１２２の上面側に出る（突出する）ことで、スプリング１０７の抜けを防止することができ、より信頼性の高い密閉型圧縮機を提供することができる。
【産業上の利用可能性】
【００３７】
以上のように、本発明にかかる密閉型圧縮機は、余分な材料を削減でき、部品点数を削減することが可能となり、安価な密閉型圧縮機を提供することができるので、自販機、冷凍ショーケース、除湿機などの用途にも適用できる。
【符号の説明】
【００３８】
１０１  上容器
１０２  下容器
１０３  密閉容器
１０４  電動要素
１０５  圧縮要素
１０６  電動圧縮要素
１０７  スプリング
１０７ａ  径大部
１０７ｂ  径小部
１０７ｃ  径中部
１１１  ブロック
１１９  固定子
１２０  回転子
１２１、１２２  支持金属板
１２１ｃ、１２２ｃ  穴
１２３  固定子固定用ボルト
【図１】
2013024068.tif 000003
【図２】
2013024068.tif 000004
【図３】
2013024068.tif 000005
【図４】
2013024068.tif 000006
【図５】
2013024068.tif 000007